(57)【要約】      （修正有）【課題】耐久性、安全性を改善したフライパン温度提示器を提供する。【解決手段】フライパン温度提示器は、ハウジング１、衝突実行部、伝動部、熱伝導ベース４、操作ボタン５、ベル６、及び提示部７を含み、衝突実行部は、ハンマー２１、プッシュブロック２１１、及び弾性プレート２２によって構成され、伝動部はバックルレバー３１、ファスナ、リターンスプリング３３、バイメタル３４によって構成され、バイメタル３４は熱伝導ベース４で限界まで加熱され最適温度になると変形して、ファスナとバックルレバー３１とのスナップを解除し、バックルレバー３１は逆方向に沿ってリセットされ、バックルレバー３１は上方に移動し、弾性プレート２２はリセットしてエネルギーをリリースし、プッシュブロック２１１を駆動して、ハンマー２１がベル６に衝突し、ベル６を鳴らす。【選択図】図１
0003201143.tif 000002
【実用新案登録請求の範囲】
【請求項１】
ハウジング、衝突実行部、伝動部、熱伝導ベース、及び、ベルを含み、
前記衝突実行部はハンマー、プッシュブロック、及び弾性プレートによって構成され、
前記伝動部はバックルレバー、リターンスプリング、ファスナとバイメタルによって構成され、  前記プッシュブロックは前記ハンマー及び前記弾性プレートと固定連結され、前記プッシュブロックは前記バックルレバーと可動的に連結され、
前記リターンスプリングは前記バックルレバーに連結され且つ圧縮方向は前記バックルレバーの運動方向と同じで、前記バックルレバーをリセットすることに用いられ
前記バックルレバーは前記ファスナにスナップ連結され、
前記ファスナは更に前記バイメタルに連結され、
前記バイメタルは前記熱伝導ベースに連結され、前記弾性プレートは初期の状態では前記ハウジングと相対的に固定され、前記バックルレバーが下方向に沿って終点まで移動した時に、前記リターンスプリングは圧縮され、前記プッシュブロックは待機位置に置かれて前記弾性プレートを折り曲げてエネルギーを貯蔵させて前記ハンマーも待機状態に置き、
前記バックルレバーは前記ファスナとスナップ連結され、前記バイメタルは前記熱伝導ベースで限界まで加熱されたときに変形して前記ファスナと前記バックルレバーとのスナップ連結が解除され、バックルレバーは逆方向に沿ってリセットし、前記弾性プレートはリセットしてエネルギーをリリースし、前記プッシュブロックを駆動して前記ハンマーによって、前記ベルを鳴らすことを特徴とする温度提示器。
【請求項２】
前記バックルレバーは傾斜面を持ち、これがプッシュブロックと連結し、前記バックルレバーには傾斜面を持つ傾斜フックがあり、これがファスナと可動的に連結され、前記プッシュブロックには対応する傾斜面を持つ傾斜フックがあり、前記バックルレバーが動くときに前記プッシュブロックを動かすことに用いられ、前記ファスナには対応する傾斜面を持つ傾斜フックを持ち、前記バックルレバーとスナップ連結されることに用いられる請求項１のフライパン温度提示器。
【請求項３】
前記ファスナは直角の形状であり、その曲げ部は回転軸によって前記ハウジングと相対的に固定され、前記ファスナと前記バックルレバー、バイメタルとの連結位置はそれぞれ前記直角型ファスナの両端に設置され、前記バイメタルと前記直角型ファスナが接触する部分はバイメタルの跳ね上がる部分で、前記跳ね上がる部分はバイメタルが加熱により熱膨張がより大きな部分であり、熱によって変形し跳ね上がったときに前記ファスナを前記回転軸に沿って回転させ、それによって前記ファスナと前記バックルレバーとの連結を解除する請求項１のフライパン温度提示器。
【請求項４】
前記直角型ファスナと前記バイメタルの跳ね上がる部分と接触するアームの一端の重量は他端アームより重量が大きく、それによって前記直角型ファスナと前記バイメタルの跳ね上がる部分と接触するアームの一端は自重が原因で常に前記バイメタルの跳ね上がる部分と接触し、且つ解除した後に自動的にリセットする請求項３のフライパン温度提示器。
【請求項５】
前記弾性プレートは前記ハウジングの内部に設置されたブロックによって前記ハウジングと相対的に固定されている請求項１のフライパン温度提示器。
【請求項６】
前記バックルレバーは前記ハウジングの外部まで延長し、延長部分には提示する色が施してある請求項１のフライパン温度提示器。
【請求項７】
前記バックルレバーは前記ハウジングの外部まで延長し、延長部分は操作ボタンと固定接続されている請求項１のフライパン温度提示器。
【請求項８】
前ベルは前記ハウジングと連結はされ、左右に揺れる様になっている請求項１のフライパン温度提示器。
【請求項９】
前記熱伝導ベースの底部接触面は均等に３つの突出する受熱領域に分けられる請求項１のフライパン温度提示器。
【考案の詳細な説明】
【技術分野】
【０００１】
本考案は調理温度提示技術分野に属し、フライパン温度提示器に関する。
【背景技術】
【０００２】
現在、家庭やレストランの台所で料理する時に、目視又は手でフライパンを見たり触れたりして、温度が十分だと判断してから油、食物を持って料理を始める。このような方法は以下の問題が存在する。１、鍋本体の温度が不明であるため、勝手に触れると怪我をすることがある。２、料理用オイルは発煙点（融点と沸点との間に介在する）以上に達すると、変質し始まり、更には火を出して燃焼する、この様な食品は体に有害で、癌になる危険性さえもあり得る。３、調理方法の多様化のため、それぞれの方法に必要な温度は一様でなく、単に推測だけで調理するには不便だし楽しくもないのである。
【０００３】
実践による、どの様なフライパンでも、最も調理に適する鍋の温度は１６０-１９０℃であることが知られている。本温度提示器は各種フライパン（アルミ製、鉄製、ステンレス製）に適し、鍋の温度が調理の適正温度に達した時に音と色で利用者に調理を開始できると知らせる。
【０００４】
従来の調理用温度計は、温度センサと電子部品の組み合わせによる物で、高温環境で電気回路を使うのは耐久性、安全性に欠けると思われる。
【考案の概要】
【考案が解決しようとする課題】
【０００５】
上記既存の問題に対し、本考案が解決しょうとする課題は、フライパン温度提示器を提供し、既存の問題点を解决することである。
【課題を解決するための手段】
【０００６】
上記の目的を実現するため、本実用新案は以下の技術手段を採用した。
【０００７】
本発明の温度提示器は、
ハウジング、衝突実行部、伝動部、熱伝導ベース、及び、ベルを含み、
前記衝突実行部はハンマー、プッシュブロック、及び弾性プレートによって構成され、
前記伝動部はバックルレバー、リターンスプリング、ファスナとバイメタルによって構成され、  前記プッシュブロックは前記ハンマー及び前記弾性プレートと固定連結され、前記プッシュブロックは前記バックルレバーと可動的に連結され、
前記リターンスプリングは前記バックルレバーに連結され且つ圧縮方向は前記バックルレバーの運動方向と同じで、前記バックルレバーをリセットすることに用いられ
前記バックルレバーは前記ファスナにスナップ連結され、
前記ファスナは更に前記バイメタルに連結され、
前記バイメタルは前記熱伝導ベースに連結され、前記弾性プレートは初期の状態では前記ハウジングと相対的に固定され、前記バックルレバーが下方向に沿って終点まで移動した時に、前記リターンスプリングは圧縮され、前記プッシュブロックは待機位置に置かれて前記弾性プレートを折り曲げてエネルギーを貯蔵させて前記ハンマーも待機状態に置き、
前記バックルレバーは前記ファスナとスナップ連結され、前記バイメタルは前記熱伝導ベースで限界まで加熱されたときに変形して前記ファスナと前記バックルレバーとのスナップ連結が解除され、バックルレバーは逆方向に沿ってリセットし、前記弾性プレートはリセットしてエネルギーをリリースし、前記プッシュブロックを駆動して前記ハンマーによって、前記ベルを鳴らすことを特徴とする。
【０００８】
前記バックルレバーは傾斜面を持ち、これがプッシュブロックと連結し、前記バックルレバーには傾斜面を持つ傾斜フックがあり、これがファスナと可動的に連結され、前記プッシュブロックには対応する傾斜面を持つ傾斜フックがあり、前記バックルレバーが動くときに前記プッシュブロックを動かすことに用いられ、前記ファスナには対応する傾斜面を持つ傾斜フックを持ち、前記バックルレバーとスナップ連結されることに用いられることが好ましい。
【０００９】
前記ファスナは直角の形状であり、その曲げ部は回転軸によって前記ハウジングと相対的に固定され、前記ファスナと前記バックルレバー、バイメタルとの連結位置はそれぞれ前記直角型ファスナの両端に設置され、前記バイメタルと前記直角型ファスナが接触する部分はバイメタルの跳ね上がる部分で、前記跳ね上がる部分はバイメタルが加熱により熱膨張がより大きな部分であり、熱によって変形し跳ね上がったときに前記ファスナを前記回転軸に沿って回転させ、それによって前記ファスナと前記バックルレバーとの連結を解除することが好ましい。
【００１０】
前記直角型ファスナと前記バイメタルの跳ね上がる部分と接触するアームの一端の重量は他端アームより重量が大きく、それによって前記直角型ファスナと前記バイメタルの跳ね上がる部分と接触するアームの一端は自重が原因で常に前記バイメタルの跳ね上がる部分と接触し、且つ解除した後に自動的にリセットすることが好ましい。
【００１１】
前記弾性プレートは前記ハウジングの内部に設置されたブロックによって前記ハウジングと相対的に固定されていることが好ましい。
【００１２】
前記バックルレバーは前記ハウジングの外部まで延長し、延長部分には提示する色が施してあることが好ましい。具体的には、前記バックルレバーの延長部分の表面は赤色で、上に跳ねた後、赤色の表面が露出し、視覚的に提示することが出来る。
【００１３】
前記バックルレバーは前記ハウジングの外部まで延長し、延長部分は操作ボタンと固定接続されていることが好ましい。
【００１４】
前ベルは前記ハウジングと連結はされ、左右に揺れる様になっていることが好ましい。これによりハンマー後に発した音を最大化し且つ長く鳴らせる。
【００１５】
前記熱伝導ベースの底部接触面は均等に３つの突出する受熱領域に分けられることが好ましい。これにより熱伝導率を最大限保証する。
れている。
【考案の効果】
【００１６】
本実用新案の有益な効果は以下のとおりである。
【００１７】
作動時に鳴動音を出して、聴覚に明らかな提示をすることができる。
【００１８】
作動後に色でも提示し、視覚的に明らかに提示することができる。
【００１９】
内部構造は完全な機械運動によるもので電力に依存せず、正確、且つ、敏感に作動し、長持ち出来る。
【００２０】
前記ベルと前記ハウジングは連結されているが左右に揺れる様になっている為に、ハンマー後に発した音を最大化し、且つ、長く鳴らせる。
【図面の簡単な説明】
【００２１】
【図１】本考案の初期状態の断面見取り図である。
【図２】本考案の待機状態の断面見取り図である。
【図３】本考案が最適温度に達し作動瞬間の断面見取り図である。
【図４】本考案が最適温度に達した後ハンマーがベルに衝突した時の断面見取り図である。
【図５】本考案のバイメタルの室温状態での見取り図である。
【図６】本考案のバイメタルの高温状態の見取り図である。
【図７】本考案のバイメタルの常温状態の側面見取り図である。
【図８】本考案のバイメタルの高温状態の側面見取り図である。
【図９】本考案各部品の分解立体見取り図である。
【考案を実施するための形態】
【００２２】
本考案を実現した技術手段、創作の特徴、達成目的と効果をより理解し易くするため、次に具体的な実施例と図面に合わせて、本考案を述べる。但し、下記実施例は本考案の好ましい実施例に過ぎず、すべてではない。本実施方式の実施例に基づき、この分野の当業者が革新的な成果なしに得られた他の実施例は、本考案の保護範囲に属する。
【００２３】
次に図面と具体的な実施形態に合わせて本考案を詳しく説明する。
【実施例１】
【００２４】
図１乃至図９に示すように、フライパン温度提示器は、ハウジング１、衝突実行部２、伝動部３、熱伝導ベース４、操作ボタン５、ベル６、及び提示部７を含む。
【００２５】
衝突実行部２は、ハンマー２１、プッシュブロック２１１、及び弾性プレート２２によって構成されている。
【００２６】
伝動部３はバックルレバー３１、ファスナ３２、リターンスプリング３３、バイメタル３４によって構成されている。
【００２７】
バックルレバー３１は、軸のやや上部位置に固定され傾斜面を有する傾斜フック３１１、軸の下部位置に固定され傾斜面を有する傾斜フック３１２、及び、傾斜フック３１１，３１２の間に設けられ同軸状に平行に設けたバネ軸３１３を備えている。バックルレバー３１は提示部７と同軸に連結し境界に鍔３１４を備える。提示部７の上部には操作ボタン５が固定されている。
【００２８】
図１に示す通り、バックルレバー３１の傾斜フック３１１の傾斜面がプッシュブロック２１１と可動的に連結可能であり、また、バックルレバー３１の傾斜フック３１２の傾斜面がファスナ３２と可動的に連結可能である。プッシュブロック２１１は対応する傾斜面２１１１を持ち、バックルレバー３１が動く時にプッシュブロック２１１を動かすことに用いられ、ファスナ３２は対応する傾斜フック３２２を持ち、バックルレバー３１とスナップ連結されることに用いられる。
【００２９】
プッシュブロック２１１はバックルレバー３１と可動的に連結されている。プッシュブロック２１１はハンマー２１及び弾性プレート２２と固定的に連結されている。
【００３０】
好ましくは、バックルレバー３１はハウジング１の外部まで延長し、延長部分には提示部分７があり、バックルレバー３１の表面は赤色で、上に跳ねた後、赤色の表面が露出し、視覚的に提示することが出来る。
【００３１】
好ましくは、バックルレバー３１はハウジング１の外部まで延在し、延長部分は操作ボタン５と固定連結されている。
【００３２】
具体的には、弾性プレート２２はハウジング１の内部に設置されたブロック２２１によってハウジング１と相対的に固定されている。
【００３３】
ファスナ３２は、L字形状で、中央部に孔３２１、上部に傾斜フック３２２、下部に鍵部３２３を備えている。
【００３４】
具体的には、ファスナ３２は直角の形状にあり、その曲げ部は回転軸３２３によってハウジング１と相対的に固定され、ファスナ３２とバックルレバー３１、バイメタル３４との連結位置はそれぞれ直角型ファスナ３２の両端に設置されている。
【００３５】
リターンスプリング３３はバックルレバー３１のバネ軸３１３に嵌装され連結され且つ圧縮方向はバックルレバー３１の運動方向と同じで、バックルレバー３１をリセットすることに用いられる。バックルレバー３１はファスナ３２にスナップ連結され、ファスナ３２は更にバイメタル３４に連結されている。バイメタル３４は熱伝導ベース４に連結されている。
【００３６】
図５〜図８に示す通り、バイメタル３４と直角型ファスナ３２が接触する部分はバイメタルの跳ね上がる部分３４１で、具体的には跳ね上がる部分３４１はバイメタルが加熱により熱膨張がより大きくなる部分であり、図４に示す通り、熱によって変形し跳ね上がった時にファスナ３２を回転軸に沿って回転させ、それによってファスナ３２とバックルレバー３１との連結を解除する。
【００３７】
具体的には、直角型ファスナ３２とバイメタルの跳ね上がる部分３４１と接触するアームの一端の重量は他端アームより重量が大きく、それによって直角型ファスナ３２とバイメタルの跳ね上がる部分３４１と接触するアームの一端は自重が原因で常にバイメタルの跳ね上がる部分３４１と接触し、且つ、解除した後に自動的にリセットする。
【００３８】
好ましくは、ベル６とハウジング１は連結されているが、左右に揺れる様になっている為に、ハンマー２１がベル６に衝突した後に発した音を最大化し且つ長く鳴らせる。
【００３９】
更に好ましくは、熱伝導ベース４の底部接触面は均等に３つの突出する受熱領域に分け、熱伝導率を最大限に保証する。
【００４０】
次に本考案の動作を説明する。図１に示す通り、弾性プレート２２は初期の状態でハウジング１に相対的に直線状態で固定されている。
【００４１】
図１で操作ボタン５を押し下げすると、図２の待機状態になる。この待機状態において、バックルレバー３１の下方向に沿って終点まで移動したときに、リターンスプリング３３は圧縮され、それによって傾斜フック３１１がプッシュブロック２１１を待機位置に移動させ、バックルレバー３１はファスナ３２とスナップ連結され、弾性プレート２２を折り曲げてエネルギーを貯蔵させて、ハンマー２１も待機状態におく。
【００４２】
図３、図６、図８に示す通り、バイメタル３４は熱伝導ベース４で限界まで加熱され最適温度になると変形して、図３に示すファスナ３２とバックルレバー３１とのスナップを解除する。ファスナ３２とバックルレバー３１とのスナップ連結が解除されると、バックルレバー３１は逆方向に沿ってリセットされる。
【００４３】
図４に示す通り、操作ブ５、提示部７、バックルレバー３１は上方に移動し、弾性プレート２２はリセットしてエネルギーをリリースし、プッシュブロック２１１を駆動して、ハンマー２１がベル６に衝突し、これによって、ベル６を鳴らす。
【００４４】
当業者は、ここで説明した技術方案や構想に基づき、ほかの多様な変更や変形を行なえるが、その様な変更や変形、例えばハウジングの形状は角形であってもよいし、バックルレバーとプッシュブロックの間の傾斜面の接続もスイングアームの可動接続であってもよく、この種類の変化はいずれも本実用新案権の保護範囲内に属する。
【符号の説明】
【００４５】
１・・・ハウジング
２・・・衝突実行部
２１・・・ハンマー
２１１・・・プッシュブロック
２１１１・・・プッシュブロックの傾斜面
２２・・・弾性プレート
２２１・・・弾性プレートのブロック
３・・・伝動部
３１・・・バックルレバー
３１１・・・バックルレバーの傾斜面
３１２・・・バックルレバーの傾斜フック
３１３・・・バックルレバーのバネ軸
３２・・・ファスナ
３２２・・・ファスナの傾斜フック
３２３・・・回転軸
３３・・・リターンスプリング
３４・・・バイメタル
３４１・・・バイメタルの跳ね上がる部分
３４２，３４３・・・雄ねじ
４・・・熱伝導ベース
５・・・操作ボタン
６・・・ベル
７・・・提示部
【図１】
0003201143.tif 000003
【図２】
0003201143.tif 000004
【図３】
0003201143.tif 000005
【図４】
0003201143.tif 000006
【図５】
0003201143.tif 000007
【図６】
0003201143.tif 000008
【図７】
0003201143.tif 000009
【図８】
0003201143.tif 000010
【図９】
0003201143.tif 000011